(57)【特許請求の範囲】
【請求項１】
底面に開口部を有する吸込具本体と、前記開口部より出し入れされ、かつ前記吸込具本体に取り外し自在に装着される回転可能な回転清掃体と、
前記吸込具本体に、前記回転清掃体と平行に並べて配置された、前記回転清掃体を回転駆動する電動機を有する電気掃除機用吸込具において、
前記回転清掃体は、円筒状のブラシコアと、前記ブラシコアの外周に配置されたハケを有し、
前記ブラシコアの端部に、回転清掃体保持部を備えた構造において、
前記回転清掃体保持部は、前記ブラシコアの端部に嵌合され、中心にシャフトを固定した円筒状のブラシカバーと、前記シャフトの先端に回転方向及びスラスト方向の自由度を有し配置された軸受と、前記シャフトの外周かつ、前記ブラシカバーの内部に配置された付勢手段からなり、
前記ブラシカバーと前記付勢手段の間と、前記付勢手段と前記軸受の間と、にワッシャーを配置し、
前記付勢手段は前記軸受を前記回転清掃体の外向きへ押す力を発生することを特徴とする電気掃除機用吸込具。
【請求項２】
吸込具本体と、回転清掃体と、を有する電気掃除機用吸込具において、
前記回転清掃体は、筒状のブラシコアと、該ブラシコアの端部に設けられた回転清掃体保持部と、を有し、
前記回転清掃体保持部は、前記ブラシコアに接続する筒状のブラシカバーと、付勢手段と、前記吸込具本体に取り付けるための軸受と、を有し、
前記ブラシカバーと前記付勢手段の間と、前記付勢手段と前記軸受の間と、にワッシャーを配置し、
前記付勢手段は前記ブラシカバーと、前記軸受との間に設けられることを特徴とする電気掃除機用吸込具。
【請求項３】
吸込具本体と、回転清掃体と、を有する電気掃除機用吸込具において、
前記回転清掃体は、筒状のブラシコアと、シャフトと、前記ブラシコアの端部に設けられた回転清掃体保持部と、を有し、
前記回転清掃体保持部は、筒状のブラシカバーと、付勢手段と、軸受と、を有し、
前記ブラシカバーと前記付勢手段の間と、前記付勢手段と前記軸受の間と、にワッシャーを配置し、
前記ブラシカバーと前記軸受は前記シャフトに固定され、前記付勢手段は、前記ブラシカバーと前記軸受とに固定され、前記シャフトの外周、かつ前記ブラシカバーの内部に設けられていることを特徴とする電気掃除機用吸込具。
【請求項４】
請求項１乃至３の何れかに記載された電気掃除機用吸込具において、前記シャフトと、前記ブラシカバーの固定部は、前記付勢手段の内側に配置され、スラスト方向の位置が重なることを特徴とする電気掃除機用吸込具。
【請求項５】
請求項１乃至３の何れかに記載された電気掃除機用吸込具において、前記付勢手段が前記軸受に加える荷重は０.１Ｎ以上から１０Ｎ以下であることを特徴とする電気掃除機用吸込具。
【請求項６】
請求項１乃至５の何れかに記載された電気掃除機用吸込具において、
前記付勢手段はブラシバネであることを特徴とする電気掃除機用吸込具。
【請求項７】
請求項１〜請求項６のいずれか１項に記載の電気掃除機用吸込具を有することを特徴とする電気掃除機。
【請求項８】
電動送風機及び集塵部を有する掃除機本体と、一端が前記掃除機本体に接続されたホースと、一端が前記ホースの他端に接続される手元操作部と、一端が該手元操作部の他端に接続される延長管と、前記延長管の他端に接続される吸込具と、を備えた電気掃除機において、
前記吸込具は、底面に開口部を有する吸込具本体と、前記開口部より出し入れされ、かつ前記吸込具本体に取り外し自在に装着される回転可能な回転清掃体と、
前記吸込具本体に、前記回転清掃体と平行に並べて配置された、前記回転清掃体を回転駆動する電動機を有し、
前記回転清掃体は、円筒状のブラシコアと、前記ブラシコアの外周に配置されたハケを有し、
前記ブラシコアの端部に、回転清掃体保持部を備えた構造において、
前記回転清掃体保持部は、前記ブラシコアの端部に嵌合され、中心にシャフトを固定した円筒状のブラシカバーと、前記シャフトの先端に回転方向及びスラスト方向の自由度を有し配置された軸受と、前記シャフトの外周かつ、前記ブラシカバーの内部に配置されたブラシバネからなり、
前記ブラシカバーと前記ブラシバネの間と、前記ブラシバネと前記軸受の間と、にワッシャーを配置し、
前記ブラシバネは前記軸受を前記回転清掃体の外向きへ押す力を発生することを特徴とする電気掃除機。
【発明の詳細な説明】
【技術分野】
【０００１】
本発明は電気掃除機用吸込具に関するもの、及びこの吸込具を用いた電気掃除機に関する。
【背景技術】
【０００２】
従来の電気掃除機の吸込具として、回転清掃体とこの回転清掃体を駆動する駆動モータとを備える吸込具本体と、前記吸込具本体を形成する吸込具下ケース、および吸込具上ケースと、前記吸込具下ケースに設けられ、前記回転清掃体を収納する開口部と、この開口部の下面側から前面側にかけて設けた吸込口とを有するものがある。前記の構成において、回転清掃体と、回転清掃体を固定する開口部の壁面の間には、回転清掃体がスムーズに回動するようにするために、クリアランスが設けられている。
【０００３】
又、以下の特許文献１〜３に示すように、ブラシバネを配置することでクリアランスを調節するものも提案されていた。
【０００４】
特許文献１（特開平６−３０４１００号公報）で提案されているように回転清掃体の一端にブラシバネを配設し、回転清掃体をスラスト方向に移動可能とし、この移動により回転清掃体の着脱を可能にした構造が提案されている。
【０００５】
特許文献２（特開平６−２６９３８１号公報）では吸込具体に、電動機からの回転駆動力を回転清掃体に伝達する駆動ギヤにブラシバネを設け、前記回転清掃体を着脱自在に取り付けが可能とした構造が提案されている。
【０００６】
特許文献３（特開昭６２−２０７４２２号公報）では吸込具体に配設された回転清掃体の軸線方向の遊びを調節するために、軸受と回転清掃体の間にブラシバネを配設した構造が提案されている
【先行技術文献】
【特許文献】
【０００７】
【特許文献１】特開平６−３０４１００号公報
【特許文献２】特開平６−２６９３８１号公報
【特許文献３】特開昭６２−２０７４２２号公報
【発明の概要】
【発明が解決しようとする課題】
【０００８】
前記記載の背景技術では、以下のような課題が考えられる。
【０００９】
前記背景技術にある回転清掃体と回転清掃体を固定する開口部の壁面にクリアランスを設ける構造の場合、一般的に強度が必要となる回転清掃体は、そのブラシコアを金属や、強化繊維入りの樹脂で製作するため、開口部を有する下ケースよりも雰囲気温度による収縮量が小さくなる恐れがある。
【００１０】
そのため、前記吸込具を雰囲気温度の低い環境で使用した際には、回転清掃体と下ケースとのスラスト方向のクリアランスが狭くなり、回転清掃体が下ケースに押し付けられ摺動面が融解することで回転不良が発生するという恐れがある。
【００１１】
又、例えば前記吸込具を雰囲気温度の高い環境で使用した際には、回転清掃体と下ケースとのスラスト方向のクリアランスが広がり、回転清掃体が回転駆動した時に、前記回転清掃体が下ケースとのクリアランスで振動することで異音が発生するという恐れがある。
【００１２】
又、特許文献１では、回転ブラシ体に固定された軸を軸受が回転自在に保持しており、軸の外周にブラシバネが設けられている構造である。回転ブラシ体は軸を固定するために中実で形成されており、圧入固定するために軸長が長くなっている。そのため回転ブラシ体の質量が重くなるという恐れがある。
【００１３】
又、特許文献２では、回転清掃体に電動機からの回転駆動力を回転清掃体に伝達する駆動ギヤにブラシバネを設け、前記ブラシバネの内径の間にブラシコアの端部を挿入し、前記回転清掃体を着脱自在とした構造である。このような構造では、回転清掃体を構成するブラシコアの外周部にブラシバネがむき出しの状態となっているために、ブラシバネに糸くずなどのごみが絡み易くなっているという恐れがある。
【００１４】
又、特許文献３では、回転清掃体のブラシコアの内部を中空にして回転軸を通し、回転軸の両端を軸受で固定し、前記軸受とブラシコアの軸受当接面との間にブラシバネが設けられている構造である。このような構造では、ブラシコア内部にブラシバネを配設しているために回転清掃体の外径が大きくなり、これにより吸込具体の高さが高くなってしまうため、狭い隙間の掃除がしにくくなる等、使い勝手の悪化が懸念される。
【００１５】
さらに、ブラシコア内部に回転軸を通しているため、回転ブラシ体の質量が重くなるという恐れがある。
【００１６】
本発明の目的は、これらの問題を解決し、回転清掃体が雰囲気温度の変化による影響を受けず、軽量で、ごみが絡みにくく、使い勝手の良い電気掃除機用吸込具を提供することにある。
【課題を解決するための手段】
【００１７】
本発明では、底面に開口部を有する吸込具本体と、前記開口部より出し入れされ、かつ前記吸込具本体に取り外し自在に装着される回転可能な回転清掃体と、前記吸込具本体に、前記回転清掃体と平行に並べて配置された、前記回転清掃体を回転駆動する電動機を有する電気掃除機用吸込具において、前記回転清掃体は、円筒状のブラシコアと、前記ブラシコアの外周に配置されたハケを有し、前記ブラシコアの端部に、回転清掃体保持部を備えた構造において、前記回転清掃体保持部は、前記ブラシコアの端部に嵌合され、中心にシャフトを固定した円筒状のブラシカバーと、前記シャフトの先端に回転方向及びスラスト方向の自由度を有し配置された軸受と、前記シャフトの外周かつ、前記ブラシカバーの内部に配置された付勢手段からなり、前記ブラシカバーと前記付勢手段の間と、前記付勢手段と前記軸受の間と、にワッシャーを配置し、前記付勢手段は前記軸受を前記回転清掃体の外向きへ押す力を発生することを特徴とする。
【００１８】
あるいは、本発明では、吸込具本体と、回転清掃体と、を有する電気掃除機用吸込具において、前記回転清掃体は、筒状のブラシコアと、該ブラシコアの端部に設けられた回転清掃体保持部と、を有し、前記回転清掃体保持部は、前記ブラシコアに接続する筒状のブラシカバーと、付勢手段と、前記吸込具本体に取り付けるための軸受と、を有し、前記ブラシカバーと前記付勢手段の間と、前記付勢手段と前記軸受の間と、にワッシャーを配置し、前記付勢手段は前記ブラシカバーと、前記軸受との間に設けられることを特徴とする。
【００１９】
あるいは、本発明では、吸込具本体と、回転清掃体と、を有する電気掃除機用吸込具において、前記回転清掃体は、筒状のブラシコアと、シャフトと、前記ブラシコアの端部に設けられた回転清掃体保持部と、を有し、前記回転清掃体保持部は、筒状のブラシカバーと、付勢手段と、軸受と、を有し、前記ブラシカバーと前記付勢手段の間と、前記付勢手段と前記軸受の間と、にワッシャーを配置し、前記ブラシカバーと前記軸受は前記シャフトに固定され、前記付勢手段は、前記ブラシカバーと前記軸受とに固定され、前記シャフトの外周、かつ前記ブラシカバーの内部に設けられていることを特徴とする。
【００２０】
又、前記シャフトと、前記ブラシカバーの固定部は、前記付勢手段の内側に配置され、スラスト方向の位置が重なることを特徴としたことによる。
【００２１】
又、前記付勢手段が前記軸受に加える荷重は０.１Ｎ以上から１０Ｎ以下であることを特徴としたことによる。
【００２２】
又、上記記載の電気掃除機用吸込具を有することを特徴とした電気掃除機である。
【００２３】
あるいは、電動送風機及び集塵部を有する掃除機本体と、一端が前記掃除機本体に接続されたホースと、一端が前記ホースの他端に接続される手元操作部と、一端が該手元操作部の他端に接続される延長管と、前記延長管の他端に接続される吸込具と、を備えた電気掃除機において、前記吸込具は、底面に開口部を有する吸込具本体と、前記開口部より出し入れされ、かつ前記吸込具本体に取り外し自在に装着される回転可能な回転清掃体と、前記吸込具本体に、前記回転清掃体と平行に並べて配置された、前記回転清掃体を回転駆動する電動機を有し、前記回転清掃体は、円筒状のブラシコアと、前記ブラシコアの外周に配置されたハケを有し、前記ブラシコアの端部に、回転清掃体保持部を備えた構造において、前記回転清掃体保持部は、前記ブラシコアの端部に嵌合され、中心にシャフトを固定した円筒状のブラシカバーと、前記シャフトの先端に回転方向及びスラスト方向の自由度を有し配置された軸受と、前記シャフトの外周かつ、前記ブラシカバーの内部に配置されたブラシバネからなり、前記ブラシカバーと前記ブラシバネの間と、前記ブラシバネと前記軸受の間と、にワッシャーを配置し、前記ブラシバネは前記軸受を前記回転清掃体の外向きへ押す力を発生することを特徴とする。
【発明の効果】
【００２４】
本発明によれば、回転清掃体保持部の内部に付勢手段（ブラシバネ）が配設されることで回転清掃体がスラスト方向に対して移動可能となっている。
【００２５】
ここで、例えば、前記吸込具を雰囲気温度の低い環境で使用した際には、回転清掃体と下ケースとの軸方向のクリアランスが狭くなるが、回転清掃体保持部の内部に付勢手段（ブラシバネ）を配設することで、付勢手段（ブラシバネ）が圧縮されて、回転清掃体と下ケースとの収縮差を吸収することにより、回転清掃体が下ケースに押し付けられることが無いため、回転不良を防止することができる。
【００２６】
又、例えば、前記吸込具を雰囲気温度の高い環境で使用した際には、回転清掃体と下ケースとの軸方向の隙間が広くなるが、付勢手段（ブラシバネ）が軸受を回転清掃体の外向き方向へ押しているため、回転清掃体のスラスト方向の振動を抑制し、前記回転清掃体が下ケースとのクリアランスでの異音発生を防止することができる。
【００２７】
又、回転清掃体の回転駆動時のスラスト方向の振動を付勢手段（ブラシバネ）が吸収することにより、吸込具騒音を静音化することができる。
【００２８】
又、回転清掃体保持部はブラシコアへのシャフトによる固定が不要となるため、前記回転清掃体保持部とブラシコアを別部品で構成し、ブラシコア中空とすることで、回転清掃体を軽量化することができる。
【００２９】
又、回転清掃体保持部は、前記回転清掃体保持部の内部に付勢手段（ブラシバネ）が配設されることにより、付勢手段（ブラシバネ）部がブラシコアの外周部に露出していないため、付勢手段（ブラシバネ）部へごみの侵入がなく、糸がらみ等を防止することができる。
【図面の簡単な説明】
【００３０】
【図１（ａ）】本発明による吸込具の回転清掃体である。
【図１（ｂ）】本発明による回転清掃体保持部材の断面図である。
【図２】本発明による吸込具の分解斜視図である。
【図３】本発明による電気掃除機の外観図である。
【図４】本発明による吸込具本体を下から見たときの平面図（下面図）である。
【図５（ａ）】本発明による回転清掃体保持部１１８の構成図である。
【図５（ｂ）】本発明による回転清掃体保持部１１８の外観図である。
【図６】本発明による回転清掃体２０４の取り外し方を示す。
【発明を実施するための形態】
【００３１】
以下、本発明の実施の形態の一例を添付の図面に基いて説明する。
【００３２】
図２に本実施例による吸込具の分解斜視図を示す。図２において、２０１は下ケース、２００は下ケースの上方に配置された上ケース、２１２は上ケース２００及び下ケース２０１で構成された回転清掃体収納室、２０４は回転清掃体収納室２１２に配置された回転清掃体、２０５は回転清掃体２０４を駆動するための電動機、２０７は吸込具を持ち上げたときに自動的に回転停止するための安全スイッチ、２０８は電動機側プーリー、２０９は減速プーリーを構成する大プーリー、２１０は減速プーリーを構成する小プーリー、２１１は大プーリー２０９と小プーリー２１０を連結するシャフトである。
【００３３】
電動機２０５によって発生された駆動力を大プーリー２０９と小プーリー２１０を連結するシャフト２１１を介して回転清掃体２０４の回転軸端部に伝達する伝達機構を構成している。
【００３４】
２０２は吸込具本体内部と外部（掃除機本体）とを連通する空気通路が形成された自在継手のうち吸込具本体に対して上下方向に回動可能な第１の接続管、２０３は自在継手のうち前記第１の接続管に対して左右方向に回動可能な第２の接続管である。
【００３５】
図２において、回転清掃体２０４の回転軸に沿う方向を吸込具の左右方向と呼び、この左右方向は通常吸込具の左右方向と一致する。また、吸込具の上下方向に関しては、吸込具を水平な床面上に置いた状態で、開口２１８が形成された側を下面側、反対側を上面側と呼ぶ。また、吸込具の進行方向側を正面側、後退方向側を背面側として説明する。
【００３６】
吸込具は左右方向に幅広な形状をしている。吸込具において、回転清掃体収納室２１２は正面側に設けられ、電動機２０５は背面側に設けられている。安全スイッチ２０７は電動機２０５よりも背面側に設けられている。電動機側プーリー２０８は電動機２０５の側面（本実施例では左側）に設けられている。大プーリー２０９は電動機２０５と電動機側プーリー２０８の間に設けられている。小プーリー２１０は電動機側プーリー２０８の側面（本実施例では左側）に設けられている。シャフト２１１は大プーリー２０９と小プーリー２１０との間に設けられており大プーリー２０９と小プーリー２１０とを連結している。
【００３７】
図３に本実施例による電気掃除機の外観図を示す。３０１は後部に吸込具本体が集塵するのに必要な吸気風を発生させる電動送風機（図示せず）を内蔵し、前部には塵埃を集塵する集塵室（図示せず）を内蔵した電気掃除機本体、３０２は電気掃除機本体３０１に接続され、柔軟に可動するように形成されたホース体、３０３は前記ホース体３０２に接続されて前記電気掃除機本体３０１や吸込具３０６を制御する手元スイッチ３０４を内蔵し、ホース体３０２と延長管３０５と連通する流路（図示せず）を持つハンドルグリップである。また、ホース体３０２とハンドルグリップ３０３及び延長管３０５には、吸込具３０６に電気を供給する給電線（図示せず）が内蔵されている。
【００３８】
図４に本実施例による吸込具本体を下から見たときの平面図（下面図）及び、中央断面図（ない）を示す。４０３は吸込具下ケース２０１に設けられた床面開口部で、被清掃面に面する。４０１はバンパー、４００は固定刷毛、４０４は後方車輪である。４０５は固定刷毛前方に設けた刷毛逃げ部Ａ、４０６は固定刷毛後方に設けた刷毛逃げ部Ｂである。２０７は吸込具を持ち上げたときに自動的に停止するための安全スイッチであり、２０７ａは被清掃面に設置されているかを検出するための床面検出車輪である。
【００３９】
２２０は下ケース２０１の下面側に位置する軸受押さえ部材４０７を開閉するための係止部材であり、上ケース２００と下ケース２０１から張り出した支持部を回動軸とし、組み付けにより上下方向で支持し、係止部材２２０の抜け外れを規制している。
【００４０】
バンパー４０１は、吸込具本体の正面側に設けられている。床面開口部４０３はバンパー４０１よりも背面側に設けられており、固定刷毛４００は床面開口部４０３よりも背面側に設けられている。後方車輪４０４は固定刷毛４００よりも背面側に設けられている。
【００４１】
図１（ａ），図１（ｂ）に本実施例による回転清掃体２０４を示す。
【００４２】
回転清掃体２０４の清掃部材１０７は、繊維等による刷毛１０５の他、軟質のブレード１０４のものを用いて構成することができ、刷毛１０５やブレード１０４をそれぞれ単独で、或いは刷毛１０５とブレード１０４とを混在させて構成することができる。また、筒状基体１０６を形成する部材で一体に成形した突出部で清掃部材を構成してもよい。いずれにしても、清掃部材１０７は筒状基体１０６の外周面から外方に突出するように構成される。
【００４３】
回転清掃体２０４の両端には、前記回転清掃体を前記吸込具本体へ保持する保持部材Ａ１１０，回転清掃体保持部１１８が設けられている。保持部材Ａ１１０は、シタケース内部に設けられた保持部材Ｂ４０８の凹凸噛合部Ａ７０１と噛合う凹凸からなる噛合部Ｂ１１２を有し、保持部材Ａ１１０と保持部材Ｂ４０８で回動力を伝える役割を果たす。
【００４４】
図５（ａ），図５（ｂ）に本実施例による回転清掃体保持部１１８の分解斜視図と組立て図を示す。回転清掃体保持部１１８を構成する円筒状のブラシカバー１１１にはシャフト１１６が固定されており、シャフト１１６の外周にはブラシカバー１１１によって溝部１２０が形成されている。溝部にワッシャー１１４を配置し、ついでブラシバネ１１５，ワッシャー１１４の順に挿入する。その後、軸受１１３をシャフト１１６に沿って挿入し、軸受１１３がシャフト１１６に対して回転自在になるように固定されている。また、軸受１１３はブラシバネ１１５により下ケース２０１にスラスト方向（左右方向）外側に常に押し付けられた状態となっている。
【００４５】
図１（ｂ）に示すように、シャフト１１６と、ブラシカバー１１１の固定部１１１ａは、ブラシバネ１１５の内側に配置され、スラスト方向（左右方向）の位置が重なるように構成している。これにより、ブラシカバー１１１内部のスペースを有効活用し、回転清掃体保持部１１８を小型化することができる。さらにスラスト方向（左右方向）で短くすることができるので、回転清掃体２０４のスラスト方向（左右方向）の幅が長くなり、ごみ取れ幅が増え、掃除効率が上がる。
【００４６】
次に本実施例の動作を説明する。掃除機使用者がハンドルグリップ３０３に設置された手元スイッチ３０４を操作すると、操作されたスイッチに従った動作モードで電気掃除機本体３０１内の電動送風機が運転する。電動送風機によって発生した吸引力は、ホース体３０２，延長管３０５を通って吸込具３０６に到達する。それと同時に、ホース体３０２および延長管３０５に設けられた電源線から供給された電源が、回路基板２０６を介して電動機２０５を駆動する。
【００４７】
電動機２０５とプーリー４１１，ベルト４１０で連結している回転清掃体２０４が回転することにより、回転清掃体２０４の清掃部材１０７である刷毛１０５やブレード１０４によって被掃除面からごみや塵埃を掻き上げて吸い込んでいる。
【００４８】
図１（ｂ）に本実施例における回転清掃体保持部１１８の断面図を示す。
【００４９】
回転清掃体保持部１１８の内部にブラシバネ１１５を配設することにより、回転清掃体２０４がスラスト方向（左右方向）で図１（ｂ）に示す可動領域（Ａ）の範囲を移動可能とした。
【００５０】
これは、吸込具に回転清掃体２０４が配置された状態で、吸込具の使用時の雰囲気温度が変化しても、ブラシバネ１１５によって、回転清掃体のスラスト方向（左右方向）外側に押されることで軸受１１３が下ケース２０１に密着し、ブラシカバー１１１には密着しない状態となるように、ブラシバネ１１５による回転清掃体２０４の可動領域（Ａ）を設定した。
【００５１】
本実施例ではブラシバネ１１５による可動領域（Ａ）は１.８mmであり、この可動領域（Ａ）であれば、例えば雰囲気温度の低い−１０℃の環境で吸込具を使用した際に、回転清掃体２０４と下ケース２０１のクリアランスが狭くなっても、ブラシバネ１１５が軸受１１３を回転清掃体２０４のスラスト方向（左右方向）外側に押し、軸受１１３がブラシカバー１１１に非接触の状態となる。逆に雰囲気温度の高い４０℃環境で吸込具３０６を使用した際に、回転清掃体２０４と下ケース２０１のクリアランスが広くなっても、ブラシバネ１１５によってスラスト方向（左右方向）外側に押された軸受１１３が下ケース２０１に密着した状態を維持できる。
【００５２】
ここで、本実施例におけるブラシバネの荷重は０.１Ｎ以上から１０Ｎ以下と設定した。ブラシバネ荷重の下限値である０.１Ｎ未満の前記ブラシバネ荷重では回転清掃体２０４をスラスト方向（左右方向）でのガタつきを吸収するには前記ブラシバネ荷重が不足し、振動低減の効果が弱くなる。また、前記ブラシバネ荷重が１０Ｎより大きくとなるとブラシバネ１１５から回転清掃体２０４に加わる前記ブラシバネ荷重が過大であり、前記ブラシバネ荷重が加わったまま回転清掃体２０４が回転駆動すると、部品間の摺動面に関して摩擦熱による熱溶着が起こり回転不良となる。
【００５３】
すなわち、ブラシバネ１１５による振動低減の効果が見込まれ、かつ前記ブラシバネ荷重が過負荷となり回転不良を引き起こさない値として、前記ブラシバネ荷重０.１Ｎ以上から１０Ｎ以下と設定した。
【００５４】
したがって、本実施例では一般的に強度が必要となる回転清掃体２０４のブラシコア１１７を金属や、強化繊維入りの樹脂を用いるため、開口部を有するシタケースよりも温度による収縮量が小さくなっている。
【００５５】
このため、吸込具３０６を雰囲気温度の低い環境で使用した際、回転清掃体２０４と下ケース２０１の熱膨張率の違いによりスラスト方向（左右方向）のクリアランスが狭くなり、回転清掃体２０４が下ケース２０１に押し付けられるが、回転清掃体保持部１１８の内部にブラシバネ１１５を配設することにより、回転清掃体２０４と下ケース２０１との収縮差をブラシバネ１１５が吸収することができる。
【００５６】
同様に、吸込具３０６を雰囲気温度の高い環境で使用した際、回転清掃体２０４と下ケース２０１の熱膨張率の違いにより、回転清掃体２０４と下ケース２０１とスラスト方向（左右方向）のクリアランスが広くなるが、前記ブラシバネ１１５が軸受１１３を下ケース２０１に押し付けるので、回転清掃体２０４の回転駆動時の振動を吸収することができる。
【００５７】
また、回転清掃体保持部１１８とブラシコア１１７が別体で構成されるため、ブラシコアを中空に形成することが可能となり、回転清掃体２０４の軽量化が図れる。
【００５８】
図６に本実施例による回転清掃体２０４の取り外し方を示す。
【００５９】
吸込具の下面側を上面側に向ける。係止部材２２０の操作部に操作者の指を添え、吸込具中央側から外側に回動し、軸受押さえ部材４０７と係止部材２２０の係合を解除する（Ｘ）。そして、下ケース２０１から軸受押さえ部材４０７を開け、軸受押さえ部材４０７を外す（Ｙ）。
【００６０】
次に、軸受１１３を回転清掃体２０４のスラスト方向（左右方向）の内向きに押し、下ケース２０１との接触を解除した状態で、回転清掃体２０４を、上方に引き上げることにより、回転清掃体２０４の保持部材Ａ１１０の噛合部１１２と保持部材Ｂ４０８の噛合部７０１が外れ、吸込具３０６から離脱できる（Ｚ）。
【００６１】
これにより、回転清掃体２０４の刷毛１０８に糸くず等が付着した際も容易に回転清掃体２０４を取り外し、簡単に糸くずなどの繊維状のものや、髪の毛等を取り除くことができる。
【００６２】
取り付け時は回転清掃体２０４の端部に固定された軸受１０３を回転清掃体のスラスト方向（左右方向）内側に押しこみながら、回転清掃体２０４の保持部材Ａ１１０の噛合部１１２と保持部材Ｂ４０８の噛合部７０１を合わせ、吸込具３０６にはめ込む。
【００６３】
この時、回転清掃体保持部１１８の内部に配設されたブラシバネ１１５が軸受１１３を下ケース２０１に押し付けることで、不意に吸込具を下に向けた時などに回転清掃体２０４が外れにくくなっている。
【００６４】
本発明の各実施例は床移動型の掃除機だけでなく、アップライト式やスティック式の掃除機にも適用できる。モータ駆動方式の吸込具だけでなく、エアー駆動方式にも適用できる。
【００６５】
また、本発明の各実施例においてブラシバネを用いたがこれに限るものではない。軸受を前記回転清掃体の外向きへ押す（付勢する）機能を有するものであれば良く、バネのほかにゴムなどの弾性材料などの付勢手段でも同様の効果を奏する。
【符号の説明】
【００６６】
１０４  ブレード（清掃部材の一部）
１０５  刷毛（清掃部材の一部）
１０７  清掃部材
１０８  刷毛（円筒状のもの）
１０９  刷毛台
１１０，４０９  保持部材Ａ
１１１  ブラシカバー
１１２  噛合部Ｂ（保持部材Ａの噛合部）
１１３  軸受
１１４  ワッシャー
１１５  ブラシバネ
１１６  シャフト
１１７  ブラシコア
１１８  回転清掃体保持部
１１９  固定面
１２０  溝部
２００  上ケース
２０１  下ケース
２０２  第１の接続管
２０３  第２の接続管
２０４  回転清掃体
２０５  電動機
２０６  回路基板
２０７  安全スイッチ
２０７ａ  床面検出車輪
２０８  電動機側プーリー
２０９  大プーリー
２１０  小プーリー
２１１  シャフト
２１２  回転清掃体収納室
２１８  開口
２２０  係止部材
３０１  電動掃除機本体
３０２  ホース体
３０３  ハンドルクリップ
３０４  手元スイッチ
３０５  延長管
３０６  吸込具
４００  固定刷毛
４０１  バンパー
４０３  床面開口部
４０４  後方車輪
４０５  刷毛逃げ部Ａ
４０６  刷毛逃げ部Ｂ
４０７  軸受押さえ部材
４０８  保持部材Ｂ
４１０  ベルト
４１１  プーリー
【図１（ａ）】
0005656757.tif 000002
【図１（ｂ）】
0005656757.tif 000003
【図２】
0005656757.tif 000004
【図３】
0005656757.tif 000005
【図４】
0005656757.tif 000006
【図５（ａ）】
0005656757.tif 000007
【図５（ｂ）】
0005656757.tif 000008
【図６】
0005656757.tif 000009